(57)【要約】      （修正有）【課題】発熱する回路の温度上昇により表示部の周辺温度が部分的に変化した場合で表示品質を向上することが可能な表示装置を提供する。【解決手段】画素毎に印加される駆動信号の波形に応じて画素毎の表示色が制御される表示部２と、表示部の各画素に印加する駆動信号の波形を画像情報に応じて駆動波形群からそれぞれ選択し、当該選択した波形の駆動信号を表示部の各画素に出力する制御部６と、を備えた表示装置において、制御部６は、表示部の表示領域のうち、当該表示装置内の回路又は電池７の発熱に応じて温度上昇する特定表示範囲の画素に印加する駆動信号の波形を第一駆動波形群から選択し、特定表示範囲以外の画素に印加する駆動信号の波形を第一駆動波形群と異なる第二駆動波形群から選択する選択手段と、発熱する回路又は電池７の発熱度合いに応じて特定表示範囲を拡縮する範囲変更手段と、を備えている。【選択図】図１０
2010237531.tif 000002
【特許請求の範囲】
【請求項１】
画素毎に印加される駆動信号の波形に応じて前記画素毎の表示色が制御される表示部と、前記表示部の各画素に印加する駆動信号の波形を画像情報に応じて駆動波形群からそれぞれ選択し、当該選択した波形の駆動信号を前記表示部の各画素に出力する制御部と、を備えた表示装置において、
前記制御部は、
前記表示部の表示領域のうち、当該表示装置内の回路又は電池の発熱に応じて温度上昇する特定表示範囲の画素に印加する前記駆動信号の波形を第一駆動波形群から選択し、前記特定表示範囲以外の画素に印加する前記駆動信号の波形を第一駆動波形群と異なる第二駆動波形群から選択する選択手段と、
前記選択した波形の駆動信号を前記表示部の各画素に出力する出力手段と、
前記発熱する回路又は電池の発熱度合いに応じて前記特定表示範囲を拡縮する範囲変更手段と、を備えたことを特徴とする表示装置。
【請求項２】
当該表示装置内の所定位置に配置された温度センサを備え、
前記制御部は、前記温度センサによって検出された温度に応じて、前記第一駆動波形群の波形と前記第二駆動波形群の波形とを変更することを特徴とする請求項１に記載の表示装置。
【請求項３】
前記範囲変更手段は、
前記発熱する回路の動作状態に応じた特定表示範囲の情報を複数記憶した第１記憶手段と、
前記発熱する回路の動作履歴を記憶する第２記憶手段と、を備え、
前記第２記憶手段に記憶した動作履歴に応じて、前記第１記憶手段から特定表示範囲を選択することを特徴とする請求項１又は２に記載の表示装置。
【請求項４】
前記表示部は、電源からの電力供給が断たれたときでも表示を維持する不揮発性表示部であり、
前記発熱する回路は、前記制御部であり、
前記第２記憶手段は、前記表示部の表示書き換え処理の履歴を前記制御部の動作履歴として記憶し、
前記範囲変更手段は、前記第２記憶手段に記憶した前記表示書き換え処理の連続度合いに応じて、前記第１記憶手段から前記特定表示範囲を決定することを特徴とする請求項３に記載の表示装置。
【請求項５】
前記発熱する回路は、前記制御部及び表示部を駆動させる電池を充電するための充電回路であり、
前記第２記憶手段は、前記電池への充電履歴を前記充電回路の動作履歴として記憶し、
前記範囲変更手段は、前記第２記憶手段に記憶した前記電池への充電継続時間に応じて前記特定表示範囲を決定することを特徴とする請求項３又は４に記載の表示装置。
【発明の詳細な説明】
【技術分野】
【０００１】
本発明は、表示装置に関し、詳しくは、表示部の表示領域内で温度差が生じた場合でも表示される画像の表示品質を良好な状態に維持することができる表示装置に関する。
【背景技術】
【０００２】
従来から、携帯電話機、ＰＤＡ、電子ペーパー、デジタルフォトフレームなどのように、種々の情報を画像表示する表示装置が開発されており、近年では、持ち運び可能なように軽量化に加え、小型化、薄型化が図られている。
【０００３】
かかる表示装置では、小型化や薄型化のために、その内部空間の十分な確保が困難であるため、表示部の背面に近接して種々の回路（例えば、表示部の表示を制御するための制御回路や充電式電池への充電を制御する充電回路など）や充電式電池などが配置される。
【０００４】
制御回路や充電回路や電池などは熱源となってしまうため、使用頻度に応じた前記制御回路を構成するＩＣチップの発熱、充電回路の発熱、あるいは充電中の電池による発熱などにより、表示部の表示領域内で温度のばらつきが生じる場合あった。
【０００５】
また、表示部を構成する各表示画素は、周辺温度によってデータの表示に必要な印加電圧の波形が異なるという特性を持つため、上述した発熱により表示部の表示領域内で温度のばらつきが生じるとデータの表示態様に差異が生じ、所謂表示ムラなどが発生する場合があった。
【０００６】
このため、表示部に複数の温度センサを配設して、検出した各温度センサの温度差に基づいて表示画素に印加する電圧を制御する技術が開示されている（例えば、特許文献１参照）。
【先行技術文献】
【特許文献】
【０００７】
【特許文献１】特開２００８−２５７０１０号公報
【発明の概要】
【発明が解決しようとする課題】
【０００８】
しかしながら、上記特許文献１の技術では、表示部を構成する表示画素の周辺温度を測定するために複数の温度センサが必要であり、センサの数が多くなることによる誤検出及び誤動作の可能性を含んでおり、さらに、表示装置の軽量小型化を妨げる虞があった。しかも、複数の温度センサが必要となるため表示装置の製造コスト低減の妨げにもなる。
【０００９】
本発明は、上述したような課題に鑑みてなされたものであり、複数の温度センサを必要とせず、なおかつ、内部部品の発熱により表示部の表示品質の低下を抑制することができる表示装置を提供することを目的とする。
【課題を解決するための手段】
【００１０】
上記目的を達成するために、請求項１に係る発明は、画素毎に印加される駆動信号の波形に応じて前記画素毎の表示色が制御される表示部と、前記表示部の各画素に印加する駆動信号の波形を画像情報に応じて駆動波形群からそれぞれ選択し、当該選択した波形の駆動信号を前記表示部の各画素に出力する制御部と、を備えた表示装置において、前記制御部は、前記表示部の表示領域のうち、当該表示装置内の回路又は電池の発熱に応じて温度上昇する特定表示範囲の画素に印加する前記駆動信号の波形を第一駆動波形群から選択し、前記特定表示範囲以外の画素に印加する前記駆動信号の波形を第一駆動波形群と異なる第二駆動波形群から選択する選択手段と、前記選択した波形の駆動信号を前記表示部の各画素に出力する出力手段と、前記発熱する回路又は電池の発熱度合いに応じて前記特定表示範囲を拡縮する範囲変更手段と、を備えた表示装置とした。
【００１１】
また、請求項２に係る発明は、請求項１に記載の表示装置において、当該表示装置内の所定位置に配置された温度センサを備え、前記制御部は、前記温度センサによって検出された温度に応じて、前記第一駆動波形群の波形と前記第二駆動波形群の波形とを変更することを特徴とする。
【００１２】
また、請求項３に係る発明は、請求項１又は請求項２に記載の表示装置において、前記発熱する回路の動作状態に応じた特定表示範囲の情報を複数記憶した第１記憶手段と、前記発熱する回路の動作履歴を記憶する第２記憶手段と、を備え、前記第２記憶手段に記憶した動作履歴に応じて、前記第１記憶手段から特定表示範囲を選択することを特徴とする。
【００１３】
また、請求項４に係る発明は、請求項３に記載の表示装置において、前記表示部は、電源からの電力供給が断たれたときでも表示を維持する不揮発性表示部であり、前記発熱する回路は、前記制御部であり、前記第２記憶手段は、前記表示部の表示書き換え処理の履歴を前記制御部の動作履歴として記憶し、前記範囲変更手段は、前記第２記憶手段に記憶した前記表示書き換え処理の連続度合いに応じて、前記第１記憶手段から前記特定表示範囲を決定することを特徴とする。
【００１４】
また、請求項５に係る発明は、請求項３又は請求項４に記載の表示装置において、前記発熱する回路は、前記制御部及び表示部を駆動させる電池を充電するための充電回路であり、前記第２記憶手段は、前記電池への充電履歴を前記充電回路の動作履歴として記憶し、前記範囲変更手段は、前記第２記憶手段に記憶した前記電池への充電継続時間に応じて前記特定表示範囲を決定することを特徴とする。
【発明の効果】
【００１５】
本発明によれば、表示装置内の発熱する回路や電池の影響で、表示部の表示領域内において温度のばらつきが生じたとしても、温度差が生じた表示範囲の間での表示ムラなどの発生を防止することが可能となる。
【図面の簡単な説明】
【００１６】
【図１】本発明の一実施形態に係る表示装置の外観を示す説明図である。
【図２】表示装置の表示部における特定表示範囲の変化を示す説明図である。
【図３】表示装置の表示部における特定表示範囲の変化を示す説明図である。
【図４】表示装置の全体構成を示す模式図である。
【図５】表示装置の表示部における表示画素の配置を示す説明図である。
【図６】表示装置の表示部における表示画素の構造を示す断面図である。
【図７】表示装置の表示部における電気的構成を示す説明図である。
【図８】表示装置の表示部における印加電圧の波形を示す説明図である。
【図９】表示装置の表示部における書き換え処理の流れを示す説明図である。
【図１０】表示装置の表示部における領域設定処理の流れを示す説明図である。
【図１１】表示装置の表示部における印加電圧を決定するために参照される駆動波形設定テーブルを示す説明図である。
【図１２】温度に応じた第一駆動波形群及び第二駆動波形群の説明図である。
【発明を実施するための形態】
【００１７】
以下、本発明の一実施形態を、図面を参照して説明する。
【００１８】
［１．表示装置の概要］
まず、図１〜図３を参照して、本実施形態の表示装置１の外観及び主な動作について説明する。図１は表示装置１の外観を示す説明図である。
【００１９】
表示装置１は、平面視方形状で薄型の装置であり、図１に示すように、その正面には略Ａ４サイズの大きさの表示部２が設けられている。この表示部２は、複数の画素を備えており、画素毎に印加される駆動信号の波形に応じて画素毎の表示色が制御される表示部であり、例えば、電気泳動表示パネルからなる。この電気泳動表示パネルは、所定の分散媒中に分散された荷電粒子を画素単位で電気泳動させることにより表示を行うことができ、当該電気泳動表示パネルへの電力の供給が断たれた場合であっても、その表示を維持することができるという特徴的な性質を有する。
【００２０】
したがって、本表示装置１の表示部２に上記電気泳動表示パネルを用いることで、電源がオフの状態であっても表示部２に維持（保持）された情報を視認することができる。また、表示部２は、表示を維持（保持）するための電力供給を必要としないので、電源がオンの状態であっても省電力を図ることもできる。
【００２１】
なお、本実施形態においては、表示部２を電気泳動表示パネルからなるものとして説明するが、これに限らず、電力の供給が断たれた場合であっても、その表示を維持することができる不揮発性表示パネルであればよく、例えば、光学異方性方式の表示素子（コレステリック液晶、強誘電性液晶など）を備えた表示パネル、粒子回転方式の表示素子を備えた表示パネル、粒子移動方式の表示素子を備えた表示パネルなども用いることができる。
【００２２】
また、本実施形態における表示部２は、必ずしも電力が供給されていない状態で表示を維持するものである必要はなく、電力の供給が断たれた場合に表示を維持できない液晶パネルなども適用することができる。
【００２３】
また、表示装置１内の右下部には、充電可能な二次電池である電池７が配置され、この電池７の上部には、表示装置１の表示部２の表示を制御するための回路や前記電池７への充電を制御する充電回路などが搭載された制御基板６が配置されている。
【００２４】
なお、本実施形態における電池７としては、例えば、ニッカド電池（ニッケルカドミウム電池）、ニッケル水素電池、リチウムイオン電池などを用いることができる。
【００２５】
そして、本実施形態における表示装置１は、表示部２の背後に電池７及び制御基板６の一部が近接して内蔵されているため、当該表示装置１の稼動により、電池７及び制御基板６の一部（例えば、後述するＣＰＵ１０，充電回路１５（図４参照）など）が発熱し、当該発熱した部位に近接する表示部２の表示領域の温度が局所的に上昇する場合がある。
【００２６】
また、表示装置１には、温度センサ９が配置されている。この温度センサ９は、上記発熱する部位から離隔して設けられており、表示装置１を稼動する場合の表示部２の周辺温度を測定するために用いられる。
【００２７】
また、表示部２の右側には、表示装置１の状態を示すＬＥＤ３と、各種操作ボタンを備えた操作ボタン４が配置されている。この操作ボタン４は、電源ボタン５ａ、メニューボタン５ｂ、縮小ボタン５ｃ、拡大ボタン５ｄ、ページ送り次ボタン５ｆ，ページ送り前ボタン５ｇが含まれる。
【００２８】
そして、表示装置１のユーザは、操作ボタン４を操作して表示部２に表示させる電子書籍などの選択、表示などを行うことができる。なお、本実施形態の表示装置１で扱うことができるデータファイルには、文字や図形などからなるドキュメントや電子書籍を表示させるためのデータファイル（以下、「ドキュメントファイル」と呼ぶ。）、写真、ＣＧなどのグラフィック画像を表示させるためのデータファイルなどがあるが、これに限られるものではない。なお、以下においては、説明を容易にするためにデータファイルとしてドキュメントファイルを例に挙げて説明することとする。また、ドキュメントファイルには、表示部２に表示するページ単位のデータとしてページデータがページ分だけ含まれている。
【００２９】
表示装置１の下部左底面には、メモリカード１７を挿入するためのメモリカードＩ／Ｆ１６が設けられている。このメモリカード１７は、例えば、書き換え可能であり、電源を切ってもデータが消えない不揮発性の半導体メモリで構成された記憶媒体であり、複数の電子書籍のドキュメントファイルが記憶されたものである。そして、表示装置１は、メモリカード１７に記憶されている複数の電子書籍から、ユーザが選択した任意の電子書籍のドキュメントファイルをメモリカードＩ／Ｆ１６を介して読み込んで表示部２に表示させて閲覧可能としている。
【００３０】
具体的に説明すると、ユーザによる操作ボタン４に設けられた各種操作ボタンの操作に応じて、メモリカード１７に記憶されている複数の電子書籍のドキュメントファイルの中から、閲覧を希望する任意の電子書籍のドキュメントファイルが選択され、さらに、同じくユーザによる操作ボタン４の操作に従い、表示部２に表示されている当該電子書籍のページデータを、順次新しいページデータに書き換えることで、当該電子書籍の内容をユーザが閲覧可能としている。
【００３１】
本実施形態における表示装置１では、表示部２へ新しいページデータの書き換えを実行する場合の消費電流が充電中以外では、最も多いため、例えば、ページデータの書き換え頻度が高くなると、制御基板６の一部が発熱して、その発熱部位の近傍にある表示部２の領域の温度を上昇させる場合がある。
【００３２】
また、表示装置１は充電可能な電池７を内蔵しているため、当該電池７への充電中は、制御基板６の電池７への充電を制御する充電回路や電池７が、その充電時間などに応じて発熱し、その発熱部位の近傍にある表示部２の領域の温度を上昇させる場合がある。
【００３３】
かかる発熱部位（制御基板６に実装された回路の一部又は電池７による発熱）の発熱により温度上昇する表示部２の領域は、発熱部位の発熱状態によりその大きさが変化する。
【００３４】
以下、各発熱部位の発熱により所定以上温度上昇（ここでは、５度以上の温度上昇とする。）する表示部２の範囲（以下、「特定表示範囲」という）と、この特定表示範囲の領域の変化を図２及び図３を参照して説明する。なお、図２は、電池７への充電が行われていないときの特定表示範囲の領域の変化を示し、図３においては、電池７への充電が実行中のときの特定表示範囲の領域の変化を示す。
【００３５】
電池７への充電が行われておらず、表示装置１が稼動していない又は表示部２へのページデータを書き換える頻度が低い稼動状況では、ＣＰＵ１０、充電回路１５及び電池７の発熱は、その発熱量が表示部２に影響しないほど微量のため、図２（ａ）に示す様に、表示部２に特定表示範囲は形成されない。
【００３６】
一方、表示装置１の表示部２へのページデータの書き換えが一定の頻度で実行される稼動状況では、ＣＰＵ１０の発熱量が表示部２に影響し始め、図２（ｂ）に示す様に、ＣＰＵ１０に近接する表示部２のある範囲に特定表示範囲１０ａが形成される。
【００３７】
さらに、表示装置１の表示部２へのページデータの書き換えが高い頻度で実行される稼動状況では、ＣＰＵ１０の発熱量が表示部２にさらに影響し、図２（ｃ）に示す様に、図２（ｂ）に示す特定表示範囲１０ａよりも広い範囲の特定表示範囲１０ｂが形成される。
【００３８】
また、電池７へ充電を開始直後で、なおかつ、表示部２へのページデータを書き換える頻度が低い稼動状況では、図３（ａ）に示す様に、充電回路１５に近接する表示部２に特定表示範囲１５ａが形成される。
【００３９】
一方、表示装置１への充電時間が一定の時間が経過した状態で、一定の頻度で表示部２へのページデータを書き換える稼動状況では、図３（ｂ）に示す様に、制御基板６に実装されたＣＰＵ１０、充電回路１５及びに電池７にそれぞれ近接する表示部２のある範囲に特定表示範囲１０ａ，１５ｂ，７ａが形成される。なお、このときの特定表示範囲１５ｂは、図３（ａ）に示す特定表示範囲１５ａよりも広い範囲となる。
【００４０】
また、表示装置１への充電は完了した後の経過時間が所定時間以内の場合であって、一定の頻度で表示部２へのページデータを書き換える稼動状況では、特定表示範囲１０ａは変化しないが、充電回路１５や電池７に近接する表示部２では、それぞれ特定表示範囲１５ｂ，７ａよりも狭い特定表示範囲１５ｃ，７ｂが形成される。
【００４１】
このように、発熱部位（ＣＰＵ１０、充電回路１５及び電池７など）の発熱により温度上昇する表示部２の領域は、各発熱部位の発熱状態によりその大きさが変化する。
【００４２】
特定表示範囲（１０ａ，１０ｂ，１５ａ〜１５ｃ，７ａ，７ｂ）が生じると、その他の表示領域との間で表示ムラが生じることから、本実施形態に係る表示装置１では、以下の処理を行うことによって、かかる表示ムラを抑制するようにしている。
【００４３】
すなわち、表示部２の各画素に印加する駆動信号の波形を画像情報に応じて選択するための駆動波形群として、上記特定表示範囲用の第一駆動波形群とそれ以外の範囲用の第二駆動波形群を予め記憶手段に記憶しておく。特定表示範囲に対しては第一駆動波形群から各画素に印加する駆動信号の波形を選択し、特定表示範囲以外に対しては第二駆動波形群から各画素に印加する駆動信号の波形を選択する。なお、各駆動波形群には、例えば、画像情報として白色、ライトグレー、ダークグレー、黒色の４色がある場合、それぞれの色に対応した駆動信号の波形が含まれる。
【００４４】
同じ画像情報（例えば、ライトグレー）では、第一駆動波形群から選択する駆動信号の波形と、第二駆動波形群から選択する駆動信号の波形とが異なり、第一駆動波形群から選択する駆動信号を特定表示範囲の画素に印加したときと第二駆動波形群から選択する駆動信号を特定表示範囲以外の画素に印加したときとで互いに同一又は近似する色を再現することができるように、第一駆動波形群及び第二駆動波形群を設定している。
【００４５】
表示装置１では、このように第一駆動波形群及び第二駆動波形群を設定することで、特定表示範囲とそれ以外の範囲との間の表示ムラを抑制している。
【００４６】
さらに、表示装置１では、発熱部位（ＣＰＵ１０、充電回路１５及び電池７など）の発熱度合いに応じて特定表示範囲を拡縮する。
【００４７】
例えば、表示部２への表示書き換え処理の履歴（つまり、表示部２へのデータファイルを書き換える回数及びその時間間隔など）や、充電回路の動作履歴（電池７への充電時間など）を、発熱部位の動作履歴として記憶手段に記憶していき、この記憶手段に記憶した動作履歴に応じて、各発熱部位の発熱度合いを判定し、各発熱部位に対応する特定表示範囲を拡縮する。
【００４８】
このようにすることで、特定表示範囲を精度よく特定することができ、当該特定表示範囲とその他の表示範囲との間での表示ムラを精度よく抑制するようにしている。
【００４９】
［２．表示装置の具体的構成］
次に、上述した表示装置１の具体的構成の例を挙げてより具体的にその構成及び動作を説明する。
【００５０】
［２．１  表示装置の全体構成］
まず、図４を参照して、表示装置１の全体構成について説明する。
【００５１】
図４に示すように、表示装置１には、表示部２、ＬＥＤ３、操作ボタン４、電池７、温度センサ９、充電回路１５、メモリカードＩ／Ｆ１６、メモリカード１７、制御部１９が設けられている。
【００５２】
制御部１９は、ＣＰＵ１０、ＥＥＰＲＯＭ１１、ＲＡＭ１２、ＲＴＣ（Real  Time  Clock）１３、表示コントローラ１４により構成される。
【００５３】
ＥＥＰＲＯＭ１１には各種情報及び表示装置１を動作させるプログラムが記憶されており、ＣＰＵ１０は、このプログラムをＥＥＰＲＯＭ１１から読み出して実行することにより制御部として機能することで、表示部２を構成する各画素８（図５参照）へ印加する書き換え駆動パルス（駆動信号）の波形を第一駆動波形群又は第二駆動波形群から選択する選択手段、特定表示範囲を拡縮する範囲変更手段などとして動作するとともに、表示装置１の全体の制御を司る。
【００５４】
また、ＥＥＰＲＯＭ１１は、書き換え可能な不揮発性のフラッシュメモリであり、本実施形態における特定範囲の情報を複数記憶した第１記憶手段として機能するものであり、また、表示部２を構成する画素８（図５参照）へ印加する複数の駆動信号（書き換え駆動パルス）の波形を含む第一駆動波形群及び第二駆動波形群の情報なども記憶されている。
【００５５】
なお、各種情報やプログラムをＥＥＰＲＯＭ１１に予め記憶させておくのではなく、メモリカードＩ／Ｆ１６を介して、メモリカード１７などの記憶媒体から各種情報やプログラムを取り出してＥＥＰＲＯＭ１１に記憶するようにしてもよい。
【００５６】
ＲＡＭ１２は各種のデータを一時的に記憶するメモリであり、ＣＰＵ１０による制御処理時に用いられる。また、ＲＡＭ１２は、本実施形態における発熱部位の動作履歴を記憶する第２記憶手段として機能するものである。
【００５７】
操作ボタン４は、上述したように各種操作ボタン（図１参照）を備え、各ボタンが、ユーザにより操作された場合に、所定の検出信号をＣＰＵ１０に供給する。
【００５８】
また、表示コントローラ１４は、表示部２への画像表示を制御する。この表示コントローラ１４には、後述する画素電極６２への電圧印加を行うＴＦＴ４０を動作させる後述のゲートドライバ２０及びソースドライバ３０を制御するためのＦＰＧＡ、パネル駆動に必要な電源生成部（ＤＣ−ＤＣコンバータなど）等が備えられている。
【００５９】
すなわち、本実施形態における表示コントローラ１４は、ＣＰＵ１０から通知された波形情報に基づいて所定の波形の駆動信号を、表示部２を構成する各画素８へ出力する出力手段として機能することになる。
【００６０】
また、本実施形態における表示装置１は、図示外の外部電源から電力供給を受けている場合には外部電源により供給される電力で駆動されると共に電池７への充電が行われ、一方、外部電源から電力供給を受けていない場合には、電池７の電力で駆動される。この制御は充電回路１５で行われる。また、電池７又は外部電源からの電力供給経路は、ＣＰＵ１０に対するものと、ＥＥＰＲＯＭ１１，ＲＡＭ１２，表示コントローラ１４といった周辺装置に対するものとの２系統ある。
【００６１】
また、メモリカード１７には、複数の電子書籍のドキュメントファイルやそのタイトルデータが記憶されており、メモリカードＩ／Ｆ１６は、メモリカード１７から電子書籍のドキュメントファイルやそのタイトルデータの読み取り、書き込みを制御する。ＣＰＵ１０は、メモリカードＩ／Ｆ１６を制御してメモリカード１７から電子書籍のタイトルデータやドキュメントファイルなどの情報を読み取り、表示部２に表示させる制御を行う。
【００６２】
ＲＴＣ１３は時間を計測する回路であり、それぞれＣＰＵ１０による制御処理時に用いられるものである。また、温度センサ９は、測定した表示部２の周辺温度を所定の検知信号としてＣＰＵ１０に供給する。
【００６３】
［２．２  表示部２の構成］
ここで、表示部２の物理的構成の概略について、図５及び図６を参照して説明する。図５は表示部２である電気泳動表示パネルの正面拡大図であり、図６は表示部２である電気泳動表示パネルのＡ−Ａ線（図５）における矢視方向断面図である。
【００６４】
表示部２は、電力供給が断たれても表示状態を保持することができる不揮発性の表示手段であり、ここでは電気泳動表示パネルで構成される。表示部２は、例えば１０２４×７６８個の画素８が配列されており、図５及び図６では説明の便宜上、一部の画素領域のみを図示している。
【００６５】
図６に示すように表示部２は、その上面部分に設けられる上部基板５０と、その下面部分に設けられる下部基板６０とが対向配置され、上部基板５０と下部基板６０との間に表示領域７０を備える。
【００６６】
上部基板５０は、表示領域７０に電界を発生させる上部電極５２と、上部電極５２の下面側に絶縁材料を塗布等して形成した絶縁膜である上部電極保護膜５１と、上部電極５２の上面側に設けられて表示装置１の表示面として機能する表示層５３とを備える。
【００６７】
そして、上部電極保護膜５１は、ポリエチレンテレフタレートなどの高い透明性及び高い絶縁性を発揮可能な樹脂フィルムにより形成される。また、上部電極５２は、酸化インジウムすず（ＩＴＯ）により形成された透明電極であり、透明なガラス基板で形成された表示層５３に複数平行に形成され、一定の電圧が印加される。
【００６８】
このように、上部電極保護膜５１、上部電極５２及び表示層５３は透明体で形成されており、従って、上部基板５０は利用者が表示面に垂直な方向（Ｚ方向）から表示領域７０を視認可能な表示基板として機能する。
【００６９】
下部基板６０は、表示領域７０に電界を発生させる画素電極６２と、画素電極６２の上面側に絶縁材料を塗布等して形成した絶縁膜である画素電極保護膜６１と、画素電極６２の下面側に設けられて表示部２を支持する筐体支持基板６３とを備える。
【００７０】
そして、画素電極保護膜６１は、ポリエチレンテレフタレートなどの樹脂フィルムのように高い絶縁性を発揮可能な材料により形成される。また、画素電極６２は、画素８毎に設けられ、後述する画素８内のＴＦＴ（Thin Film Transistor）のドレインにそれぞれ接続される。
【００７１】
表示領域７０は、対向して設けられる上部基板５０及び下部基板６０と、スペーサー７１とで形成される間隙に、負に帯電した白色の帯電粒子３３ａ（以下、「白色負帯電粒子３３ａ」とも呼ぶ。）、正に帯電した黒色の帯電粒子３３ｂ（以下、「黒色正帯電粒子３３ｂ」とも呼ぶ。）及び分散媒３４が充填されることによって形成される。
【００７２】
そして、スペーサー７１は、上部基板５０及び下部基板６０との間隙に架設され、その間隙を格子状に均等に分割して複数の小区画セルを形成するとともに、上部基板５０及び下部基板６０を支持する。スペーサー７１は、格子状に複数の貫通孔が形成された板状部材として構成された可撓性部材であり、例えばポリエチレンテレフタレートなどの合成樹脂で構成される。
【００７３】
また、帯電粒子３３ａ，３３ｂは、分散媒３４中において帯電可能な材料が用いられ、有機化合物や無機化合物からなる顔料や染料、もしくは顔料や染料を合成樹脂で包んだものからなる。また、分散媒３４としては、高絶縁性を発揮可能で、かつ粘性の低い、アルコール類，炭化水素，シリコーンオイルなどを利用できる。
【００７４】
次に、図７を参照して、表示部２の電気的構成について説明する。
【００７５】
図７に示すように、表示コントローラ１４には、ゲートドライバ２０、ソースドライバ３０及び表示コントローラＩ／Ｆ４０が備えられており、表示部２には、ゲート線２１、ソース線３１、アンプ３２、ＴＦＴ４０などが設けられている。ＣＰＵ１０から通知される各画素への印加する駆動信号の波形情報は、表示コントローラ１４を介してソースドライバ３０に通知され、ソースドライバ３０で通知された波形情報に応じた駆動信号が出力される。
【００７６】
ゲートドライバ２０からは複数のゲート線２１が、ソースドライバ３０からはアンプ３２を介して複数のソース線３１が、それぞれ平行に延びている。また、ゲート線２１とソース線３１とは互いに交差して配設されており、各交差部近傍にはＴＦＴ４０がそれぞれ設けられている。
【００７７】
そして、各ＴＦＴ４０のゲートはゲート線２１に接続され、ドレインはソース線３１に接続されている。さらに、各ＴＦＴ４０のソースは、共通電極である上部電極５２と画素電極６２との間に構造上発生する画素容量４１と、画素電極６２に与える電圧を保持する動作の時定数を大きくするための保持容量４２とに接続されている。
【００７８】
ゲート線２１にオン電圧が印加されていない場合は、そのゲート線２１に接続された全てのＴＦＴ４０はオフ状態となる。一方で、ゲートドライバ２０によりゲート線２１にオン電圧が印加されると、そのゲート線２１に接続されている全てのＴＦＴ４０がオン状態となる。このように、ゲート線２１に印加する電圧を制御することで、ＴＦＴ４０のオン・オフの制御を行っている。
【００７９】
そして、オン状態となっているＴＦＴ４０に接続されているソース線３１に、ソースドライバ３０によりプラスの電圧が印加されると、このＴＦＴ４０に接続された画素電極６２にプラスの電圧が印加される。一方で、ソース線３１に、ソースドライバ３０によりマイナスの電圧が印加されると、このＴＦＴ４０に接続された画素電極６２にマイナスの電圧が印加される。上部電極５２には、各画素共通の電圧(例えば０Ｖ)が印加されるため、画素電極６２と上部電極５２との間に電界が発生し、白色負帯電粒子３３ａ及び黒色正帯電粒子３３ｂが移動する。このように、アクティブマトリクス方式によると、１つ１つの画素の階調をそれぞれ独立に制御して画像を表示することができる。
【００８０】
［２．３  表示部２の階調表示］
次に、図６を参照して、表示部２の各画素８における階調表示の原理について説明する。図６は階調が異なる４つの画素８ａ〜８ｄ内の状態を簡略化して示した断面図である。なお、本実施形態の表示装置１においては、黒色、ダークグレー、ライトグレー、白色の４つの階調を使い分けて画像を表示するが、この階調は、白色負帯電粒子３３ａ及び黒色正帯電粒子３３ｂの表示部２内での平均分布によって決定される。また、画像を表示するために使い分けることができる階調の数は４つに限られず、適宜変更が可能である。
【００８１】
図６に示す画素８ａのように階調を黒色とするためには、上部電極５２側の電位を基準電位（０Ｖ）として画素電極６２側をプラスにし、十分に電界を発生させる。これにより、黒色正帯電粒子３３ｂが上部基板５０近傍に分布し、白色負帯電粒子３３ａが画素電極６２近傍に分布して、黒色表示の状態となる。また、画素８ｄのように階調を白色とするためには、上部電極５２の電位を基準電位（０Ｖ）として画素電極６２側をマイナスにし、十分に電界を発生させる。これにより、黒色正帯電粒子３３ｂが画素電極６２近傍に分布し、白色負帯電粒子３３ａが上部電極５２近傍に分布して、白色表示の状態となる。
【００８２】
また、印加する電圧の大きさや印加時間を調節して、白色負帯電粒子３３ａ及び黒色正帯電粒子３３ｂを、上部電極５２と画素電極６２との中間位置の近傍に位置させると、上部電極５２側からは白色負帯電粒子３３ａ及び黒色正帯電粒子３３ｂの両方が視認できるため、階調はグレーとなる。この場合、本実施の形態では、図６に示すダークグレーの画素８ｂ及びライトグレーの画素８ｃのように、帯電粒子３３ａ，３３ｂの分布の度合いを変えることでダークグレーとライトグレーとを使い分けている。
【００８３】
すなわち、本実施形態の表示装置１においては、黒色、ダークグレー、ライトグレー、白色の４つの階調を使い分けて表示部２に画像を表示するために、白色負帯電粒子３３ａ及び黒色正帯電粒子３３ｂの表示部２内での平均分布を制御して４つの階調を表示する複数の異なる波形の書き換え駆動パルス（駆動波形群）により構成されている。
【００８４】
特に、本実施形態においては、書き換え駆動パルスの波形を、４つの階調（黒色、ダークグレー、ライトグレー、白色）を使い分けるために異ならせるだけではなく、所定以上温度上昇する特定表示範囲とそれ以外の範囲とで異ならせる。すなわち、４つの階調に対する書き換え駆動パルスの波形が互いに異なる第一駆動波形群と第二駆動波形群とが割り当てられる。そして、特定表示範囲に対しては第一駆動波形群から各画素に印加する駆動信号の波形が選択され、特定表示範囲以外に対しては第二駆動波形群から各画素に印加する駆動信号の波形が選択される。
【００８５】
ここで、図８を参照して、画素８の階調を制御するためにソースドライバ３０によってソース線３１から各画素８の画素電極６２に電圧が印加され、実際に表示書き換え中に画素電極６２に印加される書き換え駆動パルスについて説明する。図８は画素の階調を書き換えるときに画素電極６２に印加される電圧の波形を示す図である。
【００８６】
なお、図８に示す書き換え駆動パルスは、表示部２を構成する画素８を、白色からダークグレーへ変化させる場合に用いられる波形である。
【００８７】
また、本実施形態では、図８（ａ）は、発熱部位の発熱により、所定値以上温度上昇する特定表示範囲（例えば、図２又は図３に示す特定表示範囲１０ａ，１０ｂ，１５ａ〜１５ｃ，７ａ、７ｂなど）以外の範囲に対する書き換え駆動パルス（つまり、第二駆動波形群の書き換え駆動パルス）を示す一例であり、一方、図８（ｂ）は、発熱部位の発熱により、所定値以上温度上昇する特定表示範囲に対する書き換え駆動パルス（つまり、第一駆動波形群の書き換え駆動パルス）を示す一例である。
【００８８】
これらの書き換え駆動パルスはいずれも、図８（ａ），（ｂ）に示すように、シェイキングパルス、リセットパルス、書き換えパルス、制動パルスから構成される。
【００８９】
駆動パルスのシェイキングパルスは、極性が交互に反転するパルスであり、帯電粒子３３ａ，３３ｂを静止状態から開放させるには十分であるが、帯電粒子３３ａ，３３ｂを一方の基板から他方の基板へ到達させるには不十分であるエネルギーを有するパルスである。
【００９０】
このシェイキングパルスが画素電極６２へ印加されると、上部電極５２及び画素電極６２の表面に付着していた帯電粒子３３ａ，３３ｂが剥離されると共に、帯電粒子３３ａ，３３ｂが静止状態から開放される。従って、シェイキングパルスを印加した後に帯電粒子３３ａ，３３ｂを移動させるためのパルスを印加すると、シェイキングパルスを印加させない場合に比べて帯電粒子３３ａ，３３ｂを素早く移動させることができる。また、帯電粒子３３ａ，３３ｂが移動を開始しやすくすることで、前の表示履歴の影響を小さくし、再現性のある階調を画素に表示させることができる。
【００９１】
駆動パルスのリセットパルスは、上部電極５２及び画素電極６２のうち一方の電極に白色負帯電粒子３３ａを引き寄せ、他方の電極に黒色正帯電粒子３３ｂを引き寄せるリセット処理を行うために、各画素８に印加するパルスである。ここでは、一例として、白色負帯電粒子３３ａを上部電極５２に引き寄せ、黒色正帯電粒子３３ｂを画素電極６２に引き寄せる例を説明する。
【００９２】
つまり、リセットパルスとしてマイナスの電圧を画素電極６２に印加して白色負帯電粒子３３ａを上部電極５２へ、黒色正帯電粒子３３ｂを画素電極６２へそれぞれ移動させる。これにより、表示部２を構成する画素８は、図６に示す画素８ｄのように、黒色正帯電粒子３３ｂが画素電極６２近傍に分布し、白色負帯電粒子３３ａが上部電極５２近傍に分布して、白色表示の状態となる。
【００９３】
駆動パルスの書き換えパルスは、帯電粒子３３ａ，３３ｂを移動させるパルスであり、書き換え前後の階調の変化に応じた波形のパルスとなる。例えば、白色からダークグレーに階調を変化させるときには、図８に示すように、駆動パルスとしてプラスの電圧を画素電極６２に印加して、その後マイナスの電圧を画素電極６２に印加することにより、一旦黒色正帯電粒子３３ｂが上部電極５２に移動した後、少し白色負帯電粒子３３ａが上部電極５２に移動する。
【００９４】
駆動パルスの制動パルスは、書き換えパルスによる帯電粒子３３ａ，３３ｂの運動を減衰させるためのパルスである。この制動パルスは、書き換えパルスの終端の電圧極性と反転した電圧のパルスである。例えば、白色からダークグレーに階調を変化させる駆動パルスにおいては、制動パルスは、図８に示すように、プラスの電圧となる。
【００９５】
制動パルスの後には、上部電極５２と画素電極６２に印加する電圧を同電位（ＧＮＤ，０Ｖ）とすることにより、電界の発生を完全に停止させて帯電粒子３３ａ，３３ｂの運動を停止させる。
【００９６】
このように、次に表示する階調に対応する帯電粒子３３ａ，３３ｂの平均位置と、現在表示中の階調に対応する帯電粒子３３ａ，３３ｂの平均位置との差分に応じた駆動パルスを両電極間５２，６２に印加することによって、階調を変更する。
【００９７】
本実施形態においては、図８（ａ）に示す第二駆動波形群の書き換え駆動パルスと、図８（ｂ）に示す第一駆動波形群の書き換え駆動パルスとでは、図示するように、書き換えパルスとしてプラスの電圧を画素電極６２に印加する時間と、マイナスの電圧を画素電極６２に印加する時間が異なっている。
【００９８】
これは、表示部２を構成する電気泳動表示パネルは、表示部２の周辺温度が高くなると黒くなり易く、一方、温度が低いと白くなり易いという特性を持つためであり、特定表示範囲内の画素８に用いる書き換え駆動パルスでは、特定表示範囲外の画素８に用いる書き換え駆動パルスに比べて、黒くするためのプラスの電圧を画素電極６２に印加する時間（つまり、パルス幅）を減らして、白くするためのマイナスの電圧を画素電極６２に印加する時間を増やしている。
【００９９】
ここでは、図８（ａ）に示すプラスの電圧の印加時間ｔ１と、図８（ｂ）に示すプラスの電圧の印加時間ｔ３との差分を、図８（ａ）に示すマイナスの電圧の印加時間ｔ２に加算して、図８（ｂ）に示すマイナスの電圧の印加時間ｔ４としている。
【０１００】
このように本実施形態においては、表示部２において温度が高い特定表示範囲の画素に画像を表示させるためには第一駆動波形群から選択された波形の駆動パルスを用い、特定表示範囲以外の画素に画像を表示させるためには第二駆動波形群から選択された波形の駆動パルスを用いることにより、表示部２の表示ムラを抑制し、表示品質の向上を図っている。
【０１０１】
［２．４  表示装置１の具体的動作］
次に、本実施形態における表示装置１の表示部２への書き換え処理について図９を参照して説明する。
【０１０２】
なお、以下においては、ユーザが操作ボタン４の各種操作ボタンを操作して、表示装置１の表示部２に新たなデータファイルの書き換えが生じた場合に実行される処理である。図９は書き換え処理の流れを示す説明図である。
【０１０３】
表示装置１のＣＰＵ１０は、書き換え処理を開始すると、ステップＳ１０１において、電池７への充電中か否かを判断し、充電中であると判別した場合（ステップＳ１０１：ＹＥＳ）、ステップＳ１０４へ処理を移す。一方、充電中ではないと判別した場合（ステップＳ１０１：ＮＯ）、ステップＳ１０２へ処理を移す。このステップＳ１０１において判断される「充電中」とは、表示装置１にＡＣアダプタなどが接続され外部電源が供給されて、充電回路１５（図４参照）が電池７へ充電中であること示すものである。
【０１０４】
ステップＳ１０２において、ＣＰＵ１０は、前回充電から所定時間（例えば、１０分）経過しているか否かを判断する。そして、所定時間経過していないと判別した場合（ステップＳ１０２：ＮＯ）、ステップＳ１０４へ処理を移す。一方、所定時間経過していると判別した場合（ステップＳ１０２：ＹＥＳ）、ステップＳ１０３へ処理を移す。
【０１０５】
ステップＳ１０３において、ＣＰＵ１０は、充電履歴をクリア（つまり、“０”）してＲＡＭ１２の所定の領域に記憶する。この処理でクリアされる充電履歴は、本実施形態における電池７への充電中を監視する時間であり、電池７へ充電されていない時間が所定時間経過した場合にクリアされることになる。そして、この処理が終了するとステップＳ１０４へ処理を移す。
【０１０６】
ステップＳ１０４において、ＣＰＵ１０は、前回の表示部２へのページデータの書き換えから今回の書き換えに至る時間が、所定時間（例えば、５分）経過しているか否かを判断する。そして、所定時間経過していないと判別した場合（ステップＳ１０４：ＮＯ）、ステップＳ１０６へ処理を移す。一方、所定時間経過していると判別した場合（ステップＳ１０４：ＹＥＳ）、ステップＳ１０５へ処理を移す。
【０１０７】
ステップＳ１０５において、ＣＰＵ１０は、表示部２へのページデータの書き換え履歴をクリア（つまり、“０”）してＲＡＭ１２の所定の領域に記憶する。この処理でクリアされる表示部２へのページデータの書き換え履歴は、表示部２へのページデータの書き換えが短時間で連続して行われた場合に、その連続書き換え回数がカウントされたものであり、本実施形態においては、電池７へ充電中でなく、かつ、表示部２へのページデータの書き換えの間に十分なインターバル時間があった場合にクリアされることになる。
【０１０８】
また、ＲＡＭ１２の所定の領域に記憶された表示部２へのページデータの書き換え履歴（つまり、連続書き換え回数）は、後述の領域設定処理（図１０参照）において参照され、発熱部位の発熱により表示部２に形成される特定表示範囲を設定する為に用いられる。そして、この処理が終了するとステップＳ１０６へ処理を移す。
【０１０９】
ステップＳ１０６において、ＣＰＵ１０は、領域設定処理を実行する。この領域設定処理では、詳細は後述するが、表示装置１の稼動状況（例えば、表示部２へのページデータの連続書き換え回数）、及び、充電回路１５の動作状況（電池７への充電時間など）に応じて、表示部２に形成される特定表示範囲（図２及び図３参照）と、この特定表示範囲とその例外の範囲に対する書き換え駆動パルスの波形群（駆動波形群）を設定する。
【０１１０】
最後に、ステップＳ１０７において、ＣＰＵ１０は、上記領域設定処理（ステップＳ１０４）で設定された表示部２（特定表示範囲を含む）に表示する各画素の画像情報に応じた書き換え駆動パルスの波形情報を表示コントローラ１４へ通知して表示部２へのページデータの書き換えを指示する。そして、この処理が終了すると書き換え処理を終了する。
【０１１１】
次に、書き換え処理のステップＳ１０６で実行される領域設定処理について、図１０を参照して説明する。
【０１１２】
まず、ステップＳ２００において、ＣＰＵ１０は、上述した書き換え処理（図９参照）において、ＲＡＭ１２の所定の領域に記憶された表示部２へのページデータの書き換え履歴がクリアされているか否かを判断して、書き換え履歴がクリアされていると判別した場合（ステップＳ２００：ＹＥＳ）、ステップＳ２０２へ処理を移す。一方、書き換え履歴がクリアされていないと判別した場合（ステップＳ２００：ＮＯ）、ステップＳ２０３へ処理を移す。
【０１１３】
ステップＳ２０１において、ＣＰＵ１０は、上述した書き換え処理（図９参照）において、ＲＡＭ１２の所定の領域に記憶された充電履歴がクリアされているか否かを判断して、書き換え履歴がクリアされていると判別した場合（ステップＳ２０１：ＹＥＳ）、ステップＳ２０２へ処理を移す。一方、書き換え履歴がクリアされていないと判別した場合（ステップＳ２０１：ＮＯ）、ステップＳ２０６へ処理を移す。
【０１１４】
ステップＳ２０２において、ＣＰＵ１０は、駆動波形設定テーブル（図１１参照）の設定Ａに基づいて、特定表示範囲としてパターンＡを設定し、さらに、この特定表示範囲とその例外の範囲に対する書き換え駆動パルスの波形群（駆動波形群）を設定する。そして、この処理が終了すると本サブルーチンを終了する。
【０１１５】
このステップＳ２０２の処理で設定されるパターンＡの特定表示範囲は、表示装置１が稼動していない又は表示部２へのページデータを書き換える頻度が低い稼動状況において設定されるものであり、例えば、図２（ａ）に示す様に、表示部２に特定表示範囲が形成されない場合である。従って、ＣＰＵ１０は、表示部２へ印加される書き換え駆動パルスの波形を第二駆動波形群から選択し、この選択した情報を表示コントローラ１４へ通知することになる。
【０１１６】
ステップＳ２０３において、ＣＰＵ１０は、ＲＡＭ１２の所定の領域に記憶された表示部２へのページデータの連続書き換え回数（つまり、書き換え履歴）を参照して、連続書き換え回数が所定回数（例えば、２０回）以上であるか否かを判断し、所定回数以上ではないと判別した場合（ステップＳ２０３：ＮＯ）、ステップＳ２０４へ処理を移す。一方、所定回数以上であると判別した場合（ステップＳ２０３：ＹＥＳ）、ステップＳ２０５へ処理を移す。
【０１１７】
ステップＳ２０４において、ＣＰＵ１０は、駆動波形設定テーブル（図１１参照）の設定Ｂに基づいて、特定表示範囲としてパターンＢを設定し、さらに、この特定表示範囲とその例外の範囲に対する書き換え駆動パルスの波形群（駆動波形群）を設定して、ステップＳ２０６へ処理を移す。
【０１１８】
このステップＳ２０４の処理で設定されるパターンＢの特定表示範囲は、表示装置１の表示部２へのページデータの書き換えが一定の頻度で実行される稼動状況において設定されるものであり、例えば、図２（ｂ）に示すように、表示部２に特定表示範囲１０ａが設定される。
【０１１９】
ステップＳ２０５において、ＣＰＵ１０は、駆動波形設定テーブル（図１１参照）の設定Ｃに基づいて、特定表示範囲としてパターンＣを設定し、さらに、この特定表示範囲とその例外の範囲に対する書き換え駆動パルスの波形群（駆動波形群）を設定して、ステップＳ２０６へ処理を移す。
【０１２０】
このステップＳ２０５の処理で設定されるパターンＣの特定表示範囲は、表示装置１の表示部２へのページデータの書き換えが高い頻度で実行される稼動状況において設定されるものであり、例えば、図２（ｃ）に示すように、表示部２に特定表示範囲１０ｂが設定される。
【０１２１】
ステップＳ２０６において、ＣＰＵ１０は、電池７への充電中か否かを判断し、充電中であると判別した場合（ステップＳ２０６：ＹＥＳ）、ステップＳ２０７へ処理を移す。一方、充電中ではないと判別した場合（ステップＳ２０６：ＮＯ）、領域設定処理を終了する。
【０１２２】
ステップＳ２０７において、ＣＰＵ１０は、電池７への充電時間が第１所定時間（例えば、３分）を超過したか否かを判断し、超過していると判別した場合（ステップＳ２０７：ＹＥＳ）、ステップＳ２０８へ処理を移す。一方、超過してはいないと判別した場合（ステップＳ２０７：ＮＯ）、領域設定処理を終了する。
【０１２３】
ステップＳ２０８において、ＣＰＵ１０は、電池７への充電時間が第２所定時間（例えば、１０分）を超過したか否かを判断し、超過していると判別した場合（ステップＳ２０８：ＹＥＳ）、ステップＳ２１０へ処理を移す。一方、超過してはいないと判別した場合（ステップＳ２０８：ＮＯ）、ステップＳ２０９へ処理を移す。
【０１２４】
ステップＳ２０９において、ＣＰＵ１０は、駆動波形設定テーブル（図１１参照）の設定Ｄに基づいて、特定表示範囲としてパターンＤを設定し、さらに、この特定表示範囲とその例外の範囲に対する書き換え駆動パルスの波形群（駆動波形群）を設定して、ステップＳ２１１へ処理を移す。
【０１２５】
このステップＳ２０９の処理で設定されるパターンＤの特定表示範囲は、表示装置１に内蔵された電池７への充電時間が、第１所定時間は超過しているが第２所定時間には到達していない場合の充電回路１５の稼動状況において設定されるものであり、例えば、図３（ａ）に示すように、表示部２に特定表示範囲１５ａが設定される。
【０１２６】
ステップＳ２１０において、ＣＰＵ１０は、駆動波形設定テーブル（図１１参照）の設定Ｅに基づいて、特定表示範囲としてパターンＥを設定し、さらに、この特定表示範囲とその例外の範囲に対する書き換え駆動パルスの波形群（駆動波形群）を設定して、ステップＳ２１１へ処理を移す。
【０１２７】
すなわち、このステップＳ２１０の処理で設定されるパターンＥの特定表示範囲は、表示装置１に内蔵された電池７への充電時間が、第２所定時間を超過した場合の充電回路１５の稼動状況において設定されるものであり、例えば、図３（ｂ）に示すように、表示部２に特定表示範囲１５ｂ，特定表示範囲７ａが設定される。
【０１２８】
ステップＳ２１１において、ＣＰＵ１０は、電池７が充電完了しているか否かを判断し、充電完了していると判別した場合（ステップＳ２１１：ＹＥＳ）、ステップＳ２１２へ処理を移す。一方、充電完了していないと判別した場合（ステップＳ２１１：ＮＯ）、領域設定処理を終了する。
【０１２９】
ステップＳ２１２において、ＣＰＵ１０は、電池７が充電完了してからの経過時間が第３所定時間（例えば、５分）内かを判断し、第３所定時間以内と判別した場合（ステップＳ２１２：ＹＥＳ）、ステップＳ２１３へ処理を移す。一方、超過していると判別した場合（ステップＳ２１２：ＮＯ）、領域設定処理を終了する。
【０１３０】
ステップＳ２１３において、ＣＰＵ１０は、駆動波形設定テーブル（図１１参照）の設定Ｆに基づいて、特定表示範囲としてパターンＦを設定し、さらに、この特定表示範囲とその例外の範囲に対する書き換え駆動パルスの波形群（駆動波形群）を設定し、領域設定処理を終了する。
【０１３１】
すなわち、このステップＳ２１３の処理で設定されるパターンＦの領域は、表示装置１に内蔵された電池７への充電時間が、充電完了してから第３所定時間を超過した場合の充電回路１５及び電池７の稼動状況において設定されるものであり、例えば、図３（ｃ）に示すように、表示部２に特定表示範囲１５ｃ，７ｂが設定される。
【０１３２】
上述してきたように、本実施形態においては、駆動波形設定テーブル（図１１参照）を参照して、表示装置１の表示部２へのページデータの書き換えが実行される稼動状況に応じて、ＣＰＵ１０に対応した特定表示範囲を設定するとともに、表示装置１に内蔵された電池７への充電時間及び充電完了後の超過時間に応じて、充電回路１５及び電池７に対応した特定表示範囲を設定している。
【０１３３】
なお、本実施形態においては、それぞれ表示部２へのページデータの書き換え頻度及び電池７への充電時間に応じて設定されるため、例えば、図２（ｃ）に示す特定表示範囲１０ｂが設定された状態で、なおかつ、電池７への充電時間が、第２所定時間を超過した場合は、図３（ｂ）に示す特定表示範囲１５ｂ，特定表示範囲７ａが同時に設定される場合がある。
【０１３４】
つまり、本実施形態における特定表示範囲の設定は、図２及び図３に示す設定パターンだけではなく、表示部２へのページデータの書き換え頻度だけで設定される場合、電池７への充電時間だけで設定される場合、又は、書き換え頻度と充電時間の組合せで設定される場合など、種々の特定表示範囲が設定される場合がある。
【０１３５】
このように特定表示範囲が設定された状態で、ユーザの操作ボタン４への操作により、メモリカード１７に記憶された電子書籍のドキュメントファイルの表示部２への表示要求があると、ＣＰＵ１０は、表示要求が行われた電子書籍のドキュメントファイルをメモリカード１７からメモリカードＩ／Ｆ１６を介して読み出す。そして、ＣＰＵ１０は、読み出したドキュメントファイルのページデータに応じて各画素８毎に印加すべき書き換え駆動パルスの波形を選択して表示コントローラ１４へ出力する。このとき、ＣＰＵ１０は、特定表示範囲が設定されているときには、当該特定表示範囲に対しては第一駆動波形群から各画素に印加する書き換え駆動パルスの波形を選択し、特定表示範囲以外に対しては第二駆動波形群から各画素に印加する書き換え駆動パルスの波形を選択する。ＣＰＵ１０は選択した書き換え駆動パルスの波形をＥＥＰＲＯＭ１１から読み出して、表示コントローラ１４へ出力する。
【０１３６】
このように、表示部２に画像を書き換えるための書き換え駆動パルスを、表示部２の特定表示範囲とそれ以外とで異ならせて画像（ページデータ）の書き換えを行うことにより、表示部２に表示される画像の表示ムラを抑制し、表示品質の向上を図っている。
【０１３７】
また、本実施形態に係る表示装置１では、ユーザの操作ボタン４への操作により、周囲温度に応じて書き換え駆動パルスの波形を変更する周囲温度追従モードを有している。
【０１３８】
この周囲温度追従モードでは、ＣＰＵ１０は、温度センサ９の測定値に基づいて、駆動波形設定テーブルに設定された駆動波形群の中から一つの駆動波形群を選択して設定する。
【０１３９】
このとき、図１２に示すように、第一駆動波形群として、温度に応じて複数の第一駆動波形群Ａ１，Ａ２，Ａ３，・・・をＥＥＰＲＯＭ１１に記憶しておき、また、第二駆動波形群として、温度に応じて複数の第二駆動波形群Ｂ１，Ｂ２，Ｂ３，・・・をＥＥＰＲＯＭ１１に記憶しておく。そして、温度センサ９の測定値に応じていずれかを選択する。例えば、温度センサ９の測定値が２０度のときには第一駆動波形群Ａ３，第二駆動波形群Ｂ３を選択し、温度センサ９の測定値が０度のときには第一駆動波形群Ａ１，第二駆動波形群Ｂ１を選択する。
【０１４０】
このように周囲温度に応じても駆動波形群を変更するようにしていることから、表示部２に表示される画像の表示品質を向上させることができる。
【０１４１】
上述した実施形態では、特定表示範囲を発熱部位に発熱によって５度温度上昇する範囲として説明したが、これに限られるものではなく、表示部２の特性等に応じて適宜変更可能である。また、特定表示範囲として設定する範囲は、実際に所定温度以上の温度上昇がある範囲と厳密に一致する必要はなく、表示品質を保つことができれば多少ずれてもかまわない。
【０１４２】
なお、本実施形態の表示装置１では、特定表示範囲とそれ以外の範囲の二つに区分して、駆動波形群を変更するだけでよいため、表示品質を保つための処理を高速に行うことができる。
【０１４３】
また、本実施形態においては、発熱する回路を制御部１９のＣＰＵ１０、充電回路１５又は電池７として説明してきたが、本発明はこれに限定されるものではなく、例えば、制御部１９の表示コントローラ１４、不揮発性メモリであるＥＥＰＲＯＭ１１などが、その発熱によって表示部２へ特定表示範囲を形成する可能性がある場合は、発熱する回路としてその稼動状況に応じた特定表示範囲が設定されることになる。
【０１４４】
また、本実施形態においては、ユーザが携帯して使用可能なように、電池７を内蔵した表示装置１として説明しているが、本発明はこれに限定されるものではなく、例えば、電池７を内蔵せずに外部からの電源供給だけで動作する固定式の表示装置１に適用することもできる。
【０１４５】
以上、本発明の実施形態のいくつかを図面に基づいて詳細に説明したが、これらは例示であり、当業者の知識に基づいて種々の変形、改良を施した他の形態で本発明を実施することが可能である。
【０１４６】
本発明を、上述してきた実施形態を通して説明したが、本実施形態の表示装置１によれば、以下の効果が期待できる。
【０１４７】
（１）画素８毎に印加される書き換え駆動パルス（駆動信号）の波形に応じて画素８毎の表示色が制御される表示部２と、表示部２の各画素８に印加する書き換え駆動パルスを画像情報に応じて駆動波形群からそれぞれ選択し、当該選択した書き換え駆動パルスを表示部２の各画素８に出力する制御部１９と、を備えた表示装置１において、制御部１９、表示部２の表示領域のうち、当該表示装置１内の回路又は電池の発熱に応じて温度上昇する特定表示範囲の画素８に印加する書き換え駆動パルスを第一駆動波形群から選択し、特定表示範囲以外の画素８に印加する書き換え駆動パルスを第一駆動波形群と異なる第二駆動波形群から選択する選択手段、発熱する回路又は電池の動作に応じて特定表示範囲を拡縮する範囲変更手段として機能するＣＰＵ１０，ＥＥＰＲＯＭ１１及びＲＡＭ１２と、前記選択した書き換え駆動パルスを表示部２の各画素８に出力する出力手段として機能する表示コントローラ１４とを備えたので、例えば、小型化及び薄型化された表示装置においいて、発熱する回路又は電池を表示部２の背面側に近接して配置せざるを得ないような場合に、発熱する回路又は電池の影響で温度上昇した特定表示範囲とそれ以外の表示部２における画素８毎の表示色の表示ムラを防ぐことが可能となる。
【０１４８】
（２）当該表示装置１内の所定位置に配置された温度センサ９を備え、制御部１９は、温度センサ９によって検出された温度に応じて、第一駆動波形群の波形と第二駆動波形群の波形とを変更することとしたので、例えば、表示部２における表示部２の周辺温度の変化を、一個の温度センサ９の測定値に基づいて設定するため、表示装置１を構成する部品数を少なくできるとともに、表示装置１の小型軽量化を図ることができる。
【０１４９】
（３）ＥＥＰＲＯＭ１１は、特定表示範囲を、発熱する回路又は電池の動作状態に応じた特定表示範囲の情報を複数記憶する第１記憶手段として機能し、ＲＡＭ１２は、発熱する回路又は電池の動作履歴を記憶する第２記憶手段として機能し、ＲＡＭ１２に記憶した動作履歴に応じて、ＥＥＰＲＯＭ１１から特定表示範囲を選択することとしたので、例えば、表示装置１の稼動状況に応じた特定表示範囲の設定を行うことができる。
【０１５０】
（４）表示部２は、電源からの電力供給が断たれたときでも表示を維持する不揮発性表示部であり、発熱する回路は、制御部１９（例えば、ＣＰＵ１０）であり、ＲＡＭ１２（第２記憶手段）は、表示部２の表示書き換え処理の履歴を制御部１９の動作履歴として記憶し、制御部１９のＣＰＵ１０は範囲変更手段として、ＲＡＭ１２に記憶した前記表示書き換え処理の連続度合いに応じて、ＥＥＰＲＯＭ１１（第１記憶手段）から特定表示範囲を決定することとしたので、例えば、表示装置１の表示部２の表示書き換え処理を頻繁に行って、制御部１９の発熱により特定表示範囲の領域が変化した場合でも表示部２における画素８毎の表示色を安定させることができる。
【０１５１】
（５）発熱する回路は、制御部１９や表示部２を駆動させる電池７を充電するための充電回路１５であり、ＲＡＭ１２（第２記憶手段）は、電池７への充電履歴を充電回路１５の動作履歴として記憶し、ＣＰＵ１０（範囲変更手段）は、ＲＡＭ１２に記憶した電池７への充電継続時間に応じて特定表示範囲を決定することとしたので、例えば、充電による充電回路１５や電池７の発熱に応じて特定表示範囲の領域が変化した場合でも、表示部２における画素８毎の表示色を安定させることができる。
【０１５２】
また、本実施形態においては、特定表示範囲を、発熱部位（ＣＰＵや充電回路１５及び電池７など）の形状に応じて四方に等間隔で拡散して変化するようにしているが、本発明はこれに限定されるものではなく、発熱部位の形状又は表示部２を構成する電気泳動表示パネルなどの熱伝導の特性に合わせて、特定表示範囲を設定することが望ましい。
【０１５３】
なお、本実施形態においては、発熱部位（ＣＰＵ１０、充電回路１５及び電池７など）の発熱度合いに応じて表示部２に形成される特定表示範囲の画素８に印加される書き換え駆動パルス（第一駆動波形群の書き換え駆動パルス）と、特定表示範囲以外の表示部２の画素８に印加される書き換え駆動パルス（第二駆動波形群の書き換え駆動パルス）とでは、書き換え駆動パルスを構成する書き換えパルスの印加電圧の時間を調整することで、画素８の温度変化に対応するようにしたが、本発明はこれに限定されるものではなく、例えば、書き換えパルスだけではなく、書き換え駆動パルスを構成する他のシェイキングパルス、リセットパルス、制動パルスなども総合して印加電圧の時間を調整することも可能である。
【符号の説明】
【０１５４】
１  表示装置
２  表示部
４  操作ボタン
７  電池
８  画素
９  温度センサ
１０  ＣＰＵ
１１  ＥＥＰＲＯＭ
１２  ＲＡＭ
１３  ＲＴＣ
１４  表示コントローラ
１５  充電回路
１６  メモリカードＩ／Ｆ
１７  メモリカード
２０  ゲートドライバ
３０  ソースドライバ
【図１】
2010237531.tif 000003
【図２】
2010237531.tif 000004
【図３】
2010237531.tif 000005
【図４】
2010237531.tif 000006
【図５】
2010237531.tif 000007
【図６】
2010237531.tif 000008
【図７】
2010237531.tif 000009
【図８】
2010237531.tif 000010
【図９】
2010237531.tif 000011
【図１０】
2010237531.tif 000012
【図１１】
2010237531.tif 000013
【図１２】
2010237531.tif 000014